(57)【要約】      （修正有）【課題】球体循環装置において，球体を回転輪に落下させて得るエネルギ−で，球体を浮上させる浮上筒に送り込み，更に他の装置を駆動するエネルギ−を得る装置を提供する。【解決手段】回転輪２の落下口から，浮上筒３３の間に，球体１の受払い機９を設けて，球体１を送り込む浮上筒３３の前に，アプロ−チ室２４を設けて，両者の間に閉開弁２７を設け，球体１を送り込むときは，先ず閉開弁２７を作動させて，アプロ−チ室２４と，浮上筒３３の間を閉として，浮上筒３３内の水圧を遮断させて，球体１をアプロ−チ室２４に送り込み，次に閉開弁２７を開として，球体１を浮上筒３３に浮上させる，この運動を連続して行なうようにした装置。【選択図】図１
2013217360.tif 000002
【特許請求の範囲】
【請求項１】
浮上筒の前に，アプロ−チ室を設け，両者間に，閉開弁を設けて，アプロ−チ室には，循環パイプを設けることを特徴とする球体循環送致。
【発明の詳細な説明】
【技術分野】
【０００１】  本発明は、球体循環装置に関する。
【背景技術】
【０００２】  従来本装置については．無限動力．永久機関．幻のエンジン等々言われてきていますが風評のみにて．未だ．現物はおろか．写真も見たことはないのが現状です。
【発明の概要】
【発明が解決しようとする課題】
【０００３】  本装置の課題は．回転輪を駆動して落下した球体を．浮上筒に送り込むことが．次のような原因で不可能とされていた．それは．駆動する回転輪に移乗した球体数と．浮上筒内の球体数＋畜水では．浮上筒内の方が数倍の重量がある．随つて落下した球体を．如何にして浮上筒に送り込むかが課題である。
【課題を解決するための手段】
【０００４】  そして，上記課題を解決するために，以下次のようにする。【０００５】  （ア）本発明は，畜水浮上筒の前に，請求項１記載の，アプロ−チ室を設ける。
（イ）アプロ−チ室は，浮上筒内の畜水と，球体の重量を，完全に遮断させる目的で設けたものであり，アプロ−チ室と，浮上筒間に，請求項１記載の，閉開弁を設ける。
（ウ）回転輪を駆動して落下した球体は，受払い機に拾われ，やがて球体収容室の畜水と球体を排出するので，閉開弁を閉として，アプロ−チ室に，請求項１の記載の発明の，循環パイプを設けて先端を浮上筒に密着させて，この畜水を循環させて処理する。
（エ）本装置では，高度な機密を得られないので，受払い機カバ−と，回転輪カバ−の下部にドレンパイプを設け，用水ポンプも設けて回転輪で駆動して，先端を循環パイプ上部に密着させて，浮上筒の畜水に循環させるようにして構成される球体循環装置である。
【発明の効果】
【０００６】  上述したように本発明の球体循環装置は，何等の消費するエネルギ−発生に必要な資源等は一切必要なく，水力，火力，風力，潮力，太陽光，地熱，石炭等の固形燃料，重油等の液体燃料，天然ガス等の気体燃料，等々のものは一切不要，唯一運転に必要なものは，畜水が自然蒸発等による微少の補給用の水くらいである。【０００７】  運転についても，重量の極端に重くない球体が，低速回転の回転輪に移乗するようになっており，設計，使用材料，工作技術等により，騒音の発生も押さえられ，排出公害物質皆無，原材料，排出物の搬入，搬出の必要もなく，居住地に近接して設置出来，本装置製作についても，使用材料も高価なものはなく，製造価格も低くおさえられる，保守管理も容易，排出公害物質も皆無，騒音もなく，天候，昼夜，の別なく設置場所の如何を問わず常時一定回転が可能であるので，発電等に使用すれば，ボルト，アンペアも安定して運転が連続して行なわれるので，充電設備等，及び関連する設備も不要である。
【図面の簡単な説明】
【０００８】
【図１】  本発明の一部を省略した断面図
【図２】  一部を省略した閉開弁斜視図
【図３】  実施例３記載の，丸鋸形回転輪の，一部を省略した断面図
【図４】  複数のアプロ−チ室と，集合浮上筒間に設けた，往復形閉開弁の一部を省略した左側面図
【図５】  往復形閉開弁（本体）の一部を省略した平面図
【発明を実施するための形態】
【０００９】  以下，本発明の実施の形態を図１，２に基づいて説明する。
【００１０】  （Ａ）回転輪２に，多数の球体収容部を設け，防水機密性のある回転輪カバ−４の軸芯に，回転輪２の回転を阻害しない程度の機密性をもつて，回転自在に設ける。
（Ｂ）回転輪２を駆動するのは球体１で，球体１は，水中では比較的ゆっくり浮上し，大気中では出来るだけ速く落下するように，適度の重量にする。
（Ｃ）球体１は，浮上筒３３の上部より回転輪２上部に移乗させて回転させ，下部より落下される，この球体１を，再度浮上筒３３上部の投下口に上昇させるために，回転輪２の落下口と，アプロ−チ室２４下部の間に，球体１を受入れて払い出す，受払い機９を，機密をもたせて，受払いカバ−１１の軸芯に，軸Ｂ１２を施して回転自在に設ける。
（Ｄ）受払い機９は，回転輪２の車軸５に設けられた傘歯車Ａ６に，直角に噛み合う傘歯車Ｂ７に固定された軸Ａ８に，受払い機９の傘歯車Ｃ２２を固定して，回転輪２の回転と比例回転させる。
（Ｅ）受払い機９の，射出機１４は，円盤形基盤１３に，軸芯より放射状に設けられた複数の摺動溝１５に，軸芯より外周に往復運動自在に設ける。
（Ｆ）射出機１４は，球体１の直径サイズの四角柱形で，中央部にくびれ部１６を設け先端は，円盤形基盤１３の外周と同形のＲを施し，他端はカム２０と係合する突起状とする。
（Ｇ）円盤形基盤１３の軸芯部には，受払い機カバ−１１の軸芯に設けた，カム２０と接触しないように，円盤形に切除した，カム室２１を設ける。
（Ｈ）射出機１４は，常時軸芯に設けられたカム２０に圧接させるために，くびれ部１６と，円盤形基盤１３に設けた，スプリング受１９間に，スプリング１８を設ける。
（Ｉ）閉開弁２７はアプロ−チ室２４と，浮上筒３３間に直角に切り込むように設け，円盤状の閉開弁（本体）２７の一部に，アプロ−チ室２４と，浮上筒３３の内径軌跡の，概略５０％を円弧形に切除し，切り口は流線型に施して，畜水の抵抗の軽減を計ったものを，回転を阻害しない程度の機密性をもって，アプロ−チ室２４と，浮上筒３３間に回転するようにして，外側を回転を阻害しない程度の機密性をもたせて，閉開弁カバ−２８を設ける。
（Ｊ）閉開弁２７は，受払い機９と，回転輪２の回転数と関係があるので，回転輪２の車軸５に設けた傘歯車より延ばした軸Ｃ３２に固定された傘歯車Ｆ３１と，これと直角に噛み合う傘歯車Ｅ３０に，軸Ｂ２９を設けて回転させる。
（Ｋ）球体１を受け入れた射出機１４は駆動されて，アプロ−チ室２４に差し掛かるとカム２０により，球体収容室１７の球体１を，アプロ−チ室２４に射出する。
（Ｌ）このときアプロ−チ室２４は，球体１を受け入れるために，浮上筒３３の水圧を隔離するために，閉開弁２７が閉と作動して，アプロ−チ室２４と，浮上筒３３とを遮断する。
（Ｍ）球体１が射出されると，アプロ−チ室２４に，球体収容室１７の畜水３４が，球体１と一緒に射出され，これを抵抗なく受入れ処理するために，アプロ−チ室２４に，小径の循環パイプ２５を設けて受入れさせる。
（Ｎ）循環パイプ２５には，元々浮上筒３３の畜水水位３５迄，畜水３４があり，そこに球体収容室１７容積分の畜水が，循環パイプ２５を経て，浮上筒３３に送り込まれるので，アプロ−チ室２４内の水圧は，小径の循環パイプ２５内の畜水３４と，アプロ−チ室２４内の畜水３４の重量で軽いので，容易に球体１を送り込める。
（Ｏ）循環パイプ２５は，前項記載の，球体収容室１７相当容量の畜水３４を受入れをするが，本発明の装置はその構造上，即ち球体１は比較的ゆっくり浮上するので，排出ス−ドがおそいので，小径のパイプで十分処理できる。
（Ｐ）循環パイプ２５は，上に延ばして，浮上筒３３の畜水水位３５より若干高目の位置より，浮上筒３３に傾斜して密着させる，
（Ｑ）受払い機カバ−１１と，回転輪カバ−４下部に，ドレンパイプ３６を設けて，先端を循環パイプ２５の上部に密着させて，揚水ポンプ３７を設け，回転輪２にベルト３８を掛けて駆動する。
【実施例】
【００１１】  実施例を記載する前に，本装置の特殊性を記述する。【００１２】  本装置は，その特徴の一つがアプロ−チ室２４を設けたことにより，受払い機９，閉開弁２７，又は４０を駆動するに必要なエネルギ−は，回転輪２に移乗した球体１数と，殆んど変わらず，従って，受払い機９閉開弁２７，又は４０の駆動に要するエネルギ−と，回転輪２移乗の球体１数のバランスがとれるライン，又は取れるに近いラインがあり，そのラインから球体１を一個増やせば，比例して浮上筒３３も高くなり，循環パイプ２５の畜水３４も高くなるが，重量は球体１の一個分の２０％前後なので，これより高くしても以後低減の法則で，回転輪２のエネルギ−消費が低減し，多数の球体１を回転輪２に移乗させれば，以後エネルギ−取得量が飛躍的に増加する。
【実施例１】
【００１３】  図４，５に記載のように，回転輪２に，球体１を数多く移乗させるようにすると，当然受払い機９も回転輪２と同じ大きさとなるので，小径サイズにして複数機にして並設させる，落下口は横並びの一つの落下口室１０にするので，球体１を数多くして遊動させて自然配分させる。【００１４】  図４，５記載のように，受払い機９から射出された球体１の，アプロ−チ室２４から浮上筒３３への送致は，往復形閉開弁４０を境に，上部を一つの浮上筒室５１として，先端を一つの集合浮上筒３９に密着させれば，自然に順序よく浮上する。【００１５】  図４，５記載の，受払い機９と，アプロ−チ室２４を複数化に対応する，往復形閉開弁４０を設ける。【００１６】  図４，５参照，往復形閉開弁４０は，各アプロ−チ室２４と，各々の浮上筒３３に，直角にプレ−トで遮断する為の往復運動するように，受払い機９と比例して回転する軸Ｄ４２の先端を，クランク形にして，先端に直角に短軸４９を設け，往復形閉開弁４０の一部に設けた，ラツクＡ４３の小軸５０を，往復形閉開弁カバ−４１に軸受４８を設けて，往復運動を阻害しないようにして，機密をもって設ける。【００１７】  図４，５参照，ピニオン４４の一面で噛み合うラックＢ４６の一端は，平行四辺形に切除したカム４７を設けて，軸Ｄ４２を直角に曲げて，その先を再度直角に曲げた，クランクと，クランクのハンドルのように設けた端軸４９と係合させて，ピニオン４４を正逆回転させて，往復形閉開弁４０を間歇式往復運動させる，アプロ−チ室２４に球体１を受入れるときは閉，浮上筒３３へ送り込むときは開とする。
【実施例２】
【００１８】  回転輪２の，球体収容部３を，複列にする，勿論受払い機９，浮上筒３３も複列となるこのように装置して，回転輪２，浮上筒３３の巨大化を防止する。
【実施例３】
【００１９】  図３記載のように，図１記載の（水車形）回転輪２を，（丸鋸形）の回転輪２にする，その他の装置は全く同様である。【００２０】  本発明は，以上のような構造であるので，これを運転するには，浮上筒の畜水を満たせば自動的に回転を開始し，消費，消耗するものはなく，エネルギ−の元は只の畜水，補充するるのは，自然に蒸発した分を補充する，極微量の只の水位である。
【符号の説明】
【００２１】        １  球体
２  回転輪
９  受払い機
１４  射出機
２４  アプロ−チ室
２５  循環パイプ
２７  閉開弁
３３  浮上筒
３４  畜水
【図１】
2013217360.tif 000003
【図２】
2013217360.tif 000004
【図３】
2013217360.tif 000005
【図４】
2013217360.tif 000006
【図５】
2013217360.tif 000007